(57)【特許請求の範囲】
【請求項１】
排水口の下方に設けられる排水トラップにおいて、上方が開口した容器状をしたトラップ本体部を排水口の下方に配置し、上記排水口の上方から嵌め込まれる取付けリングの外周面に設けた外ネジを上記トラップ本体部に設けた内ネジにねじ込むことにより上記トラップ本体部が上記排水口に取り付けられ、上記トラップ本体部内に、封止水が貯留される封水用内筒が収納され、上記トラップ本体部の底面から上方に突出する凸部に上記封水用内筒の下端を載置した状態で、上記取付けリングの内周面を上記封水用内筒の外周面に圧接させることで上記取付けリングにて上記封水用内筒を上から押さえ付けてなることを特徴とする排水トラップ。
【請求項２】
上記封水用内筒の外周面に、上記取付けリングの内周面と上記封水用内筒の外周面との間をシールするためのシール部材を一体に設けたことを特徴とする請求項１記載の排水トラップ。
【発明の詳細な説明】
【技術分野】
【０００１】
本発明は、排水口の下方に設けられて封水を行なう排水トラップに関するものである。
【背景技術】
【０００２】
従来から浴室ユニットなどの浴室における排水としては、浴槽側の排水、浴槽を設置している浴槽用床パンからの排水、洗い場側の排水という３箇所からの排水があり、いずれの排水にあたっても、排水トラップにより封水して臭気の逆流、虫などの侵入を防止する必要がある。
【０００３】
従来は浴槽側の排水が流れる浴槽排水トラップに、浴槽用床パンからの排水を流すように構成し、洗い場側の排水を流す洗い場排水トラップに外部に排水するための排水管を接続していた。そして、浴槽側の排水、浴槽用床パンからの排水のいずれも浴槽排水トラップから洗い場排水トラップを介して排水管に排水し、また洗い場側の排水は洗い場排水トラップから排水管に排水するようにしていた。このため、上記従来例にあっては、最も排水量の多い浴槽側からの排水が洗い場排水トラップから洗い場床パン側に逆流したり、浴槽用床パン側に逆流したりするおそれがあった。
【０００４】
また他の従来例として、図１１に示すように、浴槽側の排水が流れる浴槽排水トラップ２に浴槽用床パンからの排水を流す浴槽床パン排水トラップ４を一体に設け、該浴槽排水トラップ２に接続した副排水管路６０を、洗い場側の排水を流す洗い場排水トラップ６に接続した主排水管路７の側面に接続し、副排水管路６０を主排水管路７に交差接続し、浴槽排水トラップ２に隔壁１８を設けて浴槽排水トラップ２側に排水が逆流しないようにしたものが特許文献１により知られている。
【０００５】
上記特許文献１に見られる従来例では、図１０（ｂ）に示すように、封水用内筒１３の下端をトラップ本体部１０の底面１０ａから浮かして配置し、トラップ本体部１０の上端部にネジ止めされる取付けリング１２の内面にて封水用内筒１３の上端部を支持している。これにより封水用内筒１３の上端位置Ｐを基準にして封水用内筒１３内の封水高さＭが決められている。
【０００６】
ここで、排水トラップ２（６）が破封しないように封水高さＭを一定高さ以上（５０ｍｍ以上）とすることが法律（「建築物に設ける飲料水の配管設備及び排水のための配管設備を安全上及び衛生上支障のない構造とするための基準」等）で定められている。
【０００７】
しかしながら従来では封水用内筒１３の上端位置Ｐを基準にして封水高さＭを決めているため、取付けリング１２のねじ込み量によって封水高さＭが変化するようになり、封水高さＭが不足して法律基準（５０ｍｍ以上）をクリアできなくなるおそれがあった。
【０００８】
また封水高さＭが低いと、浴槽から大量の排水が排出された場合、急激な排水流れによって、例えば、洗い場排水トラップ６の封水高さＭが一時的に下がりその封水が破れて洗い場床パンからの浴室空気が大量の排水と共に排水管に引き込まれるようになり、このときに生じる「ごぼごぼ」といった空気流入音が浴室使用者に不快感を抱かせるという問題もあった。
【特許文献１】特開２００５−２８２１２３号公報
【発明の開示】
【発明が解決しようとする課題】
【０００９】
本発明は上記の従来の問題点に鑑みて発明したものであって、トラップ本体部に対する取付けリングのネジ込み操作だけで、法律で決められた封水高さ（５０ｍｍ以上）の数値を確実にクリアできるようにした排水トラップを提供することを課題とするものである。
【課題を解決するための手段】
【００１０】
前記課題を解決するために本発明は、排水口１１の下方に設けられる排水トラップにおいて、上方が開口した容器状をしたトラップ本体部１０を排水口１１の下方に配置し、上記排水口１１の上方から嵌め込まれる取付けリング１２の外周面に設けた外ネジ１４ａを上記トラップ本体部１０に設けた内ネジ１４ｂにねじ込むことにより上記トラップ本体部１０が上記排水口１１に取り付けられ、上記トラップ本体部１０内に、封止水が貯留される封水用内筒１３が収納され、上記トラップ本体部１０の底面１０ａから上方に突出する凸部１５に上記封水用内筒１３の下端１３ａを載置した状態で、上記取付けリング１２の内周面１２ｂを上記封水用内筒１３の外周面１３ｂに圧接させることで上記取付けリング１２にて上記封水用内筒１３を上から押さえ付けたことを特徴としている。
【００１１】
このような構成とすることで、トラップ本体部１０に対する取付けリング１２のネジ込み操作だけで、トラップ本体部１０の底面１０ａ側を基準として封水用内筒１３内の封水高さＭを決めることができる。つまり、取付けリング１２の内周面１２ｂを封水用内筒１３の外周面１３ｂに圧接させることで取付けリング１２にて封水用内筒１３が上から押さえ付けられるので、封水用内筒１３の下端１３ａがトラップ本体部１０の底面１０ａから突出する凸部１５に載置した状態で保持され、トラップ本体部１０の凸部１５の高さを基準にして封水用内筒１３内の封水高さＭを常に一定にできる。
【００１２】
また上記封水用内筒１３の外周面１３ｂに、取付けリング１２の内周面１２ｂと封水用内筒１３の外周面１３ｂとの間をシールするためのシール部材３０を一体に設けるのが好ましく、この場合、取付けリング１２を封水用内筒１３の外周面１３ｂに押し込むだけで、封水用内筒１３の高さが凸部１５によって決まると同時にシール部材３０によって取付けリング１２と封水用内筒１３との間を確実にシールでき、排水トラップ２（６）の組み立て性が一層良好となる。
【発明の効果】
【００１３】
本発明は、トラップ本体部の底面から上方に突出する凸部に封水用内筒の下端を載置した状態でトラップ本体部に対して取付けリングをネジ込み操作するだけで、法律で決められた封水高さ（５０ｍｍ以上）の数値を確実にクリアできる。従って、浴槽からの大量排水があった場合でも、洗い場排水トラップの封水切れを確実に防止できるものである。
【発明を実施するための最良の形態】
【００１４】
以下、本発明を添付図面に示す実施形態に基いて説明する。
【００１５】
図１〜図７は本発明の実施形態の一例を示す。浴室を構成する浴室ユニットは、浴槽１を設置する浴槽用床パン３と、洗い場床パン５とで構成される床パンの周囲に、壁パネル及びドアを有する出入り口枠とを設置し、壁パネル及び出入り口枠で囲まれた部分の上端部に天井パネルを配設して構成してある。
【００１６】
浴室ユニットからの排水は、浴槽１からの湯水の排水、浴槽１を設置する浴槽用床パン３からの湯水の排水、洗い場床パン５からの湯水の排水の３種類の排水があり、本実施形態では、３種類の排水がそれぞれ流れる３種類の排水トラップ、つまり、浴槽１からの排水が流れる浴槽排水トラップ２と、浴槽１を設置する浴槽用床パン３からの排水が流れる浴槽床パン排水トラップ４と、洗い場床パン５からの排水が流れる洗い場排水トラップ６とを備えている。
【００１７】
図１に示すように、浴槽排水トラップ２は、上方が開口した容器状をしたトラップ本体部１０と、トラップ本体部１０を排水口１１に取り付ける取付けリング１２と、トラップ本体部１０内に収納される封水用内筒１３とを備えている。トラップ本体部１０は、浴槽用床パン３の排水口１１の下方に配置され、排水口１１の上方から取付けリング１２を回転させて取付けリング１２の外周面に設けた外ネジ１４ａをトラップ本体部１０の上端内周面に設けた内ネジ１４ｂにねじ込むことにより、図３に示す取付けリング１２のフランジ部１２ａとトラップ本体部１０のフランジ部１０ｂとで排水口１１の縁部１１ａが挟持され、これによりトラップ本体部１０が排水口１１に固定された状態となる。
【００１８】
上記トラップ本体部１０の内部には、図３に示すように、封止水が貯留される封水用内筒１３が収納されている。トラップ本体部１０の底面１０ａの複数箇所から上方に突出する同じ高さの凸部１５が突設されており、封水用内筒１３の下端１３ａが各凸部１５に載置されている。各凸部１５間のスペースは浴槽排水トラップ２の勾配管路部１６に連通する連通部１７となっている。さらに上記のように取付けリング１２をトラップ本体部１０にネジ固定する際に、取付けリング１２の内周面１２ｂが封水用内筒１３の上端外周面１３ｂ（図７（ａ））に圧接することで、封水用内筒１３の下端１３ａが凸部１５に押し付けられて固定された状態となる。このとき凸部１５は封水用内筒１３内の封水高さを決める基準となるもので、これによって封水用内筒１３内の封水高さを容易に確保できるものである。
【００１９】
また上記封水用内筒１３の内部は隔壁１８によって左右２つの排水路１９ａ，１９ｂに区分けされており、排水路１９ａが浴槽床パン排水トラップ４として機能し、排水路１９ｂが浴槽排水トラップ２として機能する。
【００２０】
さらに上記封水用内筒１３の上面には図７に示すように、排水路１９ａに連通する排水流入口２５と、排水路１９ｂに連通する排水流入口２６とが形成されている。排水流入口２５は浴槽１の排水弁５０で開閉される排水部の下方に連通しており、浴槽１の排水が排水流入口２５から排水路１９ｂ内に流れ込むようになっている。一方、排水流入口２６は浴槽用床パン３の上面側に連通しており、浴槽用床パン３上の排水が排水流入口２６からを通って排水路１９ａ内に流れ込むようになっている。排水路１９ａの途中に目皿（ヘアキャッチャー）２１が設けられている。各排水路１９ａ，１９ｂの下端１３ａ側の連通部１７に連通しており、この連通部１７は浴槽排水トラップ２のトラップ出口管２ａから上り傾斜した勾配管路部１６を介して主排水管路７に連通している。
【００２１】
なお勾配管路部１６は、主排水管路７における洗い場側の排水の流入部８（図４（ａ））よりも上流側に配置されており、勾配管路部１６の低い方の端部がトラップ出口管２ａに接続され、勾配管路部１６の高い方の端部が主排水管路７の上流端部に接続されている。トラップ出口管２ａは図４（ａ）に示すように洗い場排水トラップ２の接線方向に突出しており、このトラップ出口管２ａの下流端と勾配管路部１６の上流端とが互いに嵌合する嵌合接続部９ａ，９ｂを介して配管接続されている。
【００２２】
一方、洗い場排水トラップ６の構造は上記浴槽排水トラップ２と基本的に同じであり、対応する部分には同一符号を付しておく。異なる点を述べると、図４に示すように、洗い場排水トラップ６の封水用内筒１３の上方は目皿（図示せず）を介して洗い場床パン５の上面側に連通しており、洗い場床パン５上の排水が洗い場排水トラップ６内の封水用内筒１３内に流れ込むようになっている。また洗い場排水トラップ６の一側面には洗い場側の排水を排出するための側面開口部２２が設けられ、この側面開口部２２が浴槽排水トラップ２からの主排水管路７の一側面部７ａに設けた流入部８に連通している。
【００２３】
しかして、浴槽１及び浴槽用床パン３からの排水は浴槽排水トラップ２内及び浴槽床パン排水トラップ４内に一旦滞留し、その後、連通部１７から勾配管路部１６へ排出され、さらに直線的に延設された主排水管路７へと排出される。一方、洗い場床パン５からの排水は洗い場排水トラップ６に一旦滞留し、さらに洗い場排水トラップ６の側面開口部２２から主排水管路７内に排出される。
【００２４】
ここで本発明においては、浴槽排水トラップ２及び洗い場排水トラップ６において、上方が開口した容器状をしたトラップ本体部１０を排水口１１の下方に配置し、排水口１１の上方から嵌め込まれる取付けリング１２の外周面に設けた外ネジ１４ａをトラップ本体部１０に設けた内ネジ１４ｂにねじ込むことによりトラップ本体部１０が排水口１１に取り付けられ、上記トラップ本体部１０内に、封止水が貯留される封水用内筒１３が収納され、トラップ本体部１０の底面から上方に突出する凸部１５に封水用内筒１３の下端１３ａを載置した状態で取付けリング１２にて封水用内筒１３が上から押さえ付けられる。本例では取付けリング１２の内周面１２ｂを封水用内筒１３の外周面１３ｂに圧接させている。
【００２５】
ここで上記各凸部１５は一定高さの複数の凸部１５からなり、各凸部１５の上面に封水用内筒１３の下端１３ａを当接させることで封水用内筒１３の高さが一定に揃えられている。従って、トラップ本体部１０の底面１０ａを基準として封水用内筒１３内の封水高さＭを決めることができる。つまり、図１０（ａ）に示すように、封水用内筒１３の下端１３ａの高さはトラップ本体部１０の底面１０ａから突出する凸部１５の高さによって決まるので、封水用内筒１３内の封水高さＭを常に一定にできる。これにより、排水トラップの施工状態にかかわらず、封水高さＭが安定化すると共に、法律で決められた封水高さＭ（５０ｍｍ以上）の数値を確実にクリアできる。また浴槽１からの大量排水があった場合でも、洗い場排水トラップ６の封水切れを確実に防止できるので、空気流入音の発生を抑えて浴室使用者に不快感を抱かせないようにできる。
【００２６】
また本例では浴槽排水トラップ２と洗い場排水トラップ６とを横方向Ａに並設すると共に、浴槽排水トラップ２から排出される排水が流れる主排水管路７を横方向Ａに直線的に延設したので、排水ユニット全体の小型化、薄型化を図ることができ、設置スペースが小さくて済むようになる。
【００２７】
さらに本例では、浴槽排水トラップ２の主排水管路７を横方向Ａに直線的に延設すると共に、洗い場排水トラップ６からの排水を主排水管路７の一側面部７ａに設けた流入部８から合流させるようにしたので、浴槽排水時に多量の浴槽側の排水の流れを妨げるような抵抗力が発生しなくなる。つまり主排水管路７は直線的に延びているため管内の圧力損失を減らすことができる。これにより、最も排水量の多い浴槽１の排水をスムーズに行なうことができると同時に、浴槽１の排水が洗い場排水トラップ６から洗い場床パン５側に逆流したり、浴槽用床パン３側に逆流したりするのを防止できる。この結果、浴槽側の排水及び洗い場側の排水をそれぞれスムーズに排出できる構造となる。
【００２８】
また本例では、浴槽排水トラップ２の主排水管路７の一側面部７ａに洗い場排水トラップ６を一体に取り付けているので、浴槽排水トラップ２と洗い場排水トラップ６と主排水管路７とが一体化され、排水ユニットのコンパクト化が図られ、設置スペースを小さくできると共に、配管作業が容易となり、施工性が向上する。
【００２９】
なお図１の例では封水用内筒１３の下端側に主排水管路７に連通する連通部１７を形成するにあたって、トラップ本体部１０の底面から立上がる凸部１５間のスペースを連通部１７としているが、勿論これに限らず、例えば、封水用内筒１３の下端側の一部を穴状に切り欠して連通部１７としてもよいものである。
【００３０】
さらに図８に示すように、封水用内筒１３の上端外周面に、取付けリング１２の内周面１２ｂと封水用内筒１３の上端外周面１３ｂとの間をシールするためのシール部材３０を設けるのが望ましい。更に、シール部材３０を封水用内筒１３の上端外周面１３ｂに一体に取り付けるのが望ましい。この場合、取付けリング１２を嵌め込むだけで、シール部材３０によって取付けリング１２と封水用内筒１３との間を確実にシールでき、排水トラップ２，４，６の組み立て性が一層よくなる利点がある。
【００３１】
図９は本発明の他の実施形態を示している。本例では洗い場排水トラップ６に接続した副排水管路６０を浴槽排水トラップ２の主排水管路７内に挿入し且つ主排水管路７と略平行に並設すると共に、副排水管路６０の先端の流出部６０ａを主排水管路７の下流側に向けて開口させてある。また副排水管路６０の管径を主排水管路７の管径をよりも細くしてある。他の構成は図１〜６の実施形態と同様であり、対応する部分には同一符号を付して詳しい説明は省略する。本例では副排水管路６０の延びる方向を洗い場排水トラップ６の接線方向に向けているので、浴槽側の排水と洗い場側の排水とが衝突して流れを乱すのを一層防止できるようになり、主排水管路７内の圧力損失をなくすことができる。さらに副排水管路６０の流出部６０ａの向きと主排水管路７の軸方向とが同じ向きに揃うので、主排水管路７と副排水管路６０とを成形する際に金型が抜きやすくなる利点もある。
【００３２】
なお前記実施形態では浴槽用床パン３を設けた場合を例示したが、浴槽用床パン３は省略可能である。
【図面の簡単な説明】
【００３３】
【図１】本発明の実施形態の一例の側面断面図である。
【図２】同上の排水ユニットの側面図である。
【図３】同上の排水ユニットの側面断面図である。
【図４】（ａ）は同上の排水ユニットを分解した平面図、（ｂ）は組み立て状態の平面図である。
【図５】同上の排水ユニットの斜視図である。
【図６】同上の排水ユニットの一部破断した斜視図である。
【図７】（ａ）（ｂ）（ｃ）は同上の封水用内筒の平面図、斜視図、側面図である。
【図８】本発明の他の実施形態の側面図である。
【図９】本発明の更に他の実施形態の説明図である。
【図１０】（ａ）は本発明の排水トラップの封水高さを説明する側面図、（ｂ）は従来の排水トラップの封水高さを説明する側面図である。
【図１１】従来例の平面図である。
【符号の説明】
【００３４】
１  浴槽
１０  トラップ本体部
１０ａ  底面
１１  排水口
１２  取付けリング
１２ｂ  内周面
１３  封水用内筒
１３ａ  下端
１３ｂ  外周面
１４ａ  外ネジ
１４ｂ  内ネジ
１５  凸部
３０  シール部材
【図１】
0004595871.tif 000002
【図２】
0004595871.tif 000003
【図３】
0004595871.tif 000004
【図４】
0004595871.tif 000005
【図５】
0004595871.tif 000006
【図６】
0004595871.tif 000007
【図７】
0004595871.tif 000008
【図８】
0004595871.tif 000009
【図９】
0004595871.tif 000010
【図１０】
0004595871.tif 000011
【図１１】
0004595871.tif 000012